(57)【要約】【課題】リールを支持するための部材を、ケースを構成する蓋板部分に一体に設けることによって組み立て作業性の向上や材料費のコストダウンを図ることができるリールケースを提供する。【解決手段】プラスチックシート１を折曲げ線に沿って折曲げ形成したケース本体と、ケース本体の側面板開口端から延出してケース本体の両側開口をそれぞれ閉塞する一対の蓋板２７，２９及び該蓋板から延出した差込片２８，３０とを有するプラスチックシート製のリールケースにおいて、一方の差込片２８の一部に、ケース内方に折り込まれることにより、リールのフランジ部に形成されている係止溝に係止する折込係止片３３を設けるとともに、他方の差込片３０には、ケース内方に折り込まれることにより、リールに形成されているスポーク部を挟持する一対の折込挟持片３５を設ける。【選択図】　　図１
2004033187.tif 000002
【特許請求の範囲】
【請求項１】
プラスチックシートを折曲げ線に沿って折曲げ形成したケース本体と、該ケース本体の側面板開口端から延出してケース本体の両側開口をそれぞれ閉塞する一対の蓋板及び該蓋板から延出した差込片とを有するプラスチックシート製のリールケースにおいて、前記蓋板の一方には、前記差込片の一部にケース内方に折り込まれることによりケース内に収納されるリールのフランジ部に形成されている係止溝に係止する折込係止片を設けるとともに、前記蓋板の他方には、前記差込片から延出してケース内方に折り込まれることにより前記リールに形成されているスポーク部を挟持する一対の折込挟持片を設けたことを特徴とするリールケース。
【発明の詳細な説明】
【０００１】
【発明の属する技術分野】
本発明は、リールケースに関し、特に、釣り糸を巻回したリールを収納するためのプラスチック製リールケースに関する。
【０００２】
【従来の技術】
釣り糸を巻回したリールを収納した状態で展示販売するためのリールケースとして、プラスチックシートを折曲げ線に沿って折曲げ形成したケース本体と、該ケース本体の側面板開口端から延出してケース本体の両側開口をそれぞれ閉塞する一対の蓋板と、背面側の側面板から上方に延出した吊下片とを有するものが知られている。
【０００３】
【発明が解決しようとする課題】
このようなリールケースにおいて、従来は、収納したリールがケース内でがたついたり、回転したりすることを防止するため、別部材からなるクッション材や周り止め部材をケース内に挿入していたが、別部材を用いる場合は、ケースの組み立てやリールの収納に手間が掛かり、また、材料等のコストも掛かるという問題があった。
【０００４】
そこで本発明は、リールを支持するための部材を、ケースを構成する蓋板部分に一体に設けることによって組み立て作業性の向上や材料費のコストダウンを図ることができるリールケースを提供することを目的としている。
【０００５】
【課題を解決するための手段】
上記目的を達成するため、本発明のリールケースは、プラスチックシートを折曲げ線に沿って折曲げ形成したケース本体と、該ケース本体の側面板開口端から延出してケース本体の両側開口をそれぞれ閉塞する一対の蓋板及び該蓋板から延出した差込片とを有するプラスチックシート製のリールケースにおいて、前記蓋板の一方には、前記差込片の一部にケース内方に折り込まれることによりケース内に収納されるリールのフランジ部に形成されている係止溝に係止する折込係止片を設けるとともに、前記蓋板の他方には、前記差込片から延出してケース内方に折り込まれることにより前記リールに形成されているスポーク部を挟持する一対の折込挟持片を設けたことを特徴としている。
【０００６】
【発明の実施の形態】
図１乃至図４は、本発明のリールケースの一形態例を示すもので、図１はリールケースの展開図、図２は組み立てたリールケースの斜視図、図３はケース内にリールを収納した状態を示すリールケースの断面正面図、図４は同じく断面側面図である。このリールケースは、所定形状に打ち抜かれ、所定位置に折曲げ線を設けた一枚のプラスチックシート１を、前記折曲げ線に沿って所定方向に折曲げるとともに、糊代片を接着することによって箱状に組立てられるものであって、後部上方に吊下片を設けて吊下げ状態で陳列できるようにしている。
【０００７】
前記プラスチックシート１には、折曲げ線１１〜１４により、幅広の前面板２１及び後面板２２と、一対の幅狭の側面板２３，２３と、糊代片２４とが区画形成され、後面板２２の上方には吊下げ孔２５ａを有する吊下片２５が延出されている。また、両側面板２３の上下には、折曲げ線１５，１５を介して内蓋板２６，２６がそれぞれ設けられている。さらに、前記前面板２１の上方には、折曲げ線１６，１７を介して上蓋板２７及び上差込片２８が設けられ、下方には、折曲げ線１８、１９を介して下蓋板２９及び下差込片３０が設けられている。
【０００８】
そして、前記上差込片２８の中央部には、一対の切込溝３１，３１及び折曲げ線３２により折込係止片３３が区画形成されており、前記下差込片３０の先端からは、中央部に切込溝からなる挟持溝３４を備えた一対の折込挟持片３５，３５が折曲げ線３６、３６を介して延出されている。
【０００９】
前記折込係止片３３は、ケース組立時に上差込片２８からケース内方に折り込まれることにより、ケース内に収納するリール２のフランジ部３に形成されている係止溝４に係止するように形成されており、前記折込挟持片３５は、ケース組立時に下差込片３０の先端からケース内方に直角に折り込まれることにより、両折込挟持片３５同士の間の前記挟持溝３４部分でリール２に形成されているスポーク部５を挟持するように形成されている。
【００１０】
このリールケースは、プラスチックシート１の折曲げ線１１〜１４を同一方向に直角に折り曲げて糊代片２４を後面板２２の端部に接着することにより、リール２を収納可能な箱形のケース本体が組み立てられる。次に、上部側の内蓋板２６を折り曲げた後、上差込片２８の折込係止片３３をケース内方に直角に折り込んだ状態で折曲げ線１６，１７を直角に折曲げてケース本体の上部開口を閉塞した状態とする。
【００１１】
この状態でケース本体の下部開口からリール２を設定された向きでケース内に挿入し、フランジ部３の係止溝４を折込係止片３３に係止させる。最後に、下部側の内蓋板２６を折り曲げてから、折曲げ線３６、３６を折り曲げて両折込挟持片３５にケース内方への折り癖をつけた状態で、折曲げ線１８、１９を折り曲げながら折込挟持片３５及び下差込片３０をリール２と後面板２２との間に挿入し、両折込挟持片３５間の挟持溝３４内にスポーク部５を進入させるようにしながら下部開口を下蓋板２９で閉塞する。
【００１２】
このようにしてケース内にリール２を収納することにより、折込係止片３３と折込挟持片３５とによってケース内でのリール２の回転やがたつきを防止することができ、別部材からなるクッション材や周り止め部材を使用する必要がなくなる。さらに、リール２に巻回した糸６の外周面に折込係止片３３が接触してリール外周方向に弾性変形することにより、その復元力によってリール２がより確実に保持された状態となる。
【００１３】
なお、本形態例では、吊下片２５を設けているため、ケース自体に上下の方向性を生じているが、吊下片２５を有しないケースの場合は、蓋板の設置位置は上下に限るものではなく、折込係止片及び折込挟持片の位置も任意に選択することができる。
【００１４】
【発明の効果】
以上説明したように、本発明のリールケースによれば、クッション材や周り止め部材を使用せずにリールをケース内に確実に保持することができる。また、ケース内に収納するリールを支持するための折込係止片及び折込挟持片を、ケースを構成する蓋板部分に一体に設けることによって組み立て作業性の向上や材料費のコストダウンを図ることができる
【図面の簡単な説明】
【図１】本発明の一形態例を示すリールケースの展開図である。
【図２】組み立てたリールケースの斜視図である。
【図３】ケース内にリールを収納した状態を示すリールケースの断面正面図である。
【図４】ケース内にリールを収納した状態を示すリールケースの断面側面図である。
【符号の説明】
１…プラスチックシート、２…リール、３…フランジ部、４…係止溝、５…スポーク部、６…糸、１１〜１９…折曲げ線、２１…前面板、２２…後面板、２３…側面板、２４…糊代片、２５…吊下片、２６…内蓋板、２７…上蓋板、２８…上差込片、２９…下蓋板、３０…下差込片、３１…切込溝、３２…折曲げ線、３３…折込係止片、３４…挟持溝、３５…折込挟持片、３６…折曲げ線
【図１】
2004033187.tif 000003
【図２】
2004033187.tif 000004
【図３】
2004033187.tif 000005
【図４】
2004033187.tif 000006